(57)【要約】【課題】気象情報を利用するものの、気象予測が外れた場合に誤った機器制御を防止するとともに、機器が設置されている現場の状況を考慮し、設置機器の制御を行うことができる機器監視制御システムを提供する。【解決手段】気象情報提供手段８から気象予測情報を継続取得して気象情報ＤＢ５１に記憶させ、制御計画情報ＤＢ５２内の制御計画情報と気象予測情報と建物に設置された宅内機器１内の設置機器の現在状態とを比較し、気象予測情報が制御計画情報の気象条件に一致した場合に、前記設置機器の機器状態条件と監視部４２で検知された該設置機器の状態とを比較して状態が異なるときに該情報をユーザ端末機器２、１２に報知情報として送信を行う。【選択図】        図１
2006235886.tif 000002
【特許請求の範囲】
【請求項１】
外部から気象予測情報を継続取得して記憶する気象情報記憶部と、
所定の気象条件に対応づけられて建物に設置された設置機器の状態を制御する機器状態条件が記録された制御計画情報記憶部と、
前記制御計画情報記憶部の制御計画に基づいて前記設置機器を制御する制御部と、
前記設置機器の状態を監視する監視部と、
ユーザに所定の情報送信又はユーザからの情報発信を行うユーザ端末機器とが通信によって接続された機器監視制御システムであって、
前記制御部は、前記気象情報記憶部の気象予測情報が前記制御計画情報記憶部の気象条件に一致した場合に、前記設置機器の機器状態条件と前記監視部から検知された該設置機器の状態とを比較して状態が異なるときに該情報を前記ユーザ端末機器に報知情報として送信を行うことを特徴とする機器監視制御システム。
【請求項２】
前記報知情報は、前記機器状態条件へ前記設置機器を制御実行可否の確認をユーザに求めるものであり、前記制御部は、制御実行可の通知が前記ユーザ端末機器から発信されたときに前記設置機器に制御実行処理を行うことを特徴とする請求項１記載の機器監視制御システム。
【請求項３】
前記制御部は、前記報知情報送信から制御実行処理の間までに前記監視部で取得した設置機器の状態が変化して前記機器状態条件と一致したときには該設置機器の状態を前記ユーザ端末機器に再度送信することを特徴とする請求項２記載の機器監視制御システム。
【請求項４】
前記制御部は、前記監視部で設置機器の状態変化が検知された場合も、前記気象情報記憶部の気象予測情報が前記制御計画情報記憶部の気象条件に一致しているか否か判断処理して一致している場合に前記設置機器の機器状態条件と変化後の該設置機器の状態とを比較処理し、この比較結果が一致していない場合に前記報知情報を発信することを特徴とする請求項１記載の機器監視制御システム。
【請求項５】
前記設置機器周辺の状況を撮影する撮像装置が接続されており、前記設置機器の機器状態条件と前記監視部で検知された該設置機器の状態とを比較して状態が異なるときに前記撮像装置の撮影データも前記ユーザ端末機器に送信することを特徴とする請求項１記載の機器監視制御システム。
【発明の詳細な説明】
【技術分野】
【０００１】
本発明は気象情報を用いて設置機器の制御を行う機器監視制御システムに関する。
【背景技術】
【０００２】
従来、気象情報を用いて機器の制御を行うものとして、予想最高気温情報に基づいて空調を制御するシステムがある。この空調制御システムは、気象予報提供手段から得た予想最高気温情報と、前日までの外気状態の測定値等の履歴情報を用いて当日の外気状態を予測し、事業所のエネルギー使用量が最小になるように空調機器を制御する（例えば、特許文献１参照）。
【０００３】
また、気象情報を用いて家庭電化製品を制御するシステムが提案されている。このシステムは、仲介者が管理するサーバに気象情報を蓄積しておき、端末装置から送信された家庭電化製品の運転状況と位置情報を認識し、サーバに蓄積された気象情報から、端末が設置されている地域の今後の天候予測を行う。そして、予測された天候に基づいて、今後の家庭電化製品の制御条件を決定して送信し、各家庭電化製品の運転を行うものである（例えば、特許文献２参照）。
【特許文献１】特開２００２−８９９２９号公報
【特許文献２】特開２００２−２３８０８１号公報
【発明の開示】
【発明が解決しようとする課題】
【０００４】
しかし、上記従来の技術では、気象情報を用いて天候の予測を行っても、その予測は外れることがあり、予測が外れた場合には誤った制御となるがすぐに対応することができない。また、機器が設置されている現場の状況次第では、気象情報に基づいた制御条件を画一的に適用されると、困る場合も発生する。
【０００５】
例えば、窓を開けて物が挟まっているときに窓を閉めてほしくないとか、制御対象外の空調機器が動いているのに、別の空調機器を動かしてほしくないといった場合等である。
【０００６】
本発明は、上述した課題を解決するために創案されたものであり、気象情報を利用するものの、気象予測が外れた場合に誤った機器制御を防止するとともに、機器が設置されている現場の状況を考慮し、設置機器の制御を行うことができる機器監視制御システムを提供することを目的としている。
【課題を解決するための手段】
【０００７】
上記目的を達成するために、請求項１記載の発明は、外部から気象予測情報を継続取得して記憶する気象情報記憶部と、所定の気象条件に対応づけられて建物に設置された設置機器の状態を制御する機器状態条件が記録された制御計画情報記憶部と、前記制御計画情報記憶部の制御計画に基づいて前記設置機器を制御する制御部と、前記設置機器の状態を監視する監視部と、ユーザに所定の情報送信又はユーザからの情報発信を行うユーザ端末機器とが通信によって接続された機器監視制御システムであって、前記制御部は、前記気象情報記憶部の気象予測情報が前記制御計画情報記憶部の気象条件に一致した場合に、前記設置機器の機器状態条件と前記監視部から検知された該設置機器の状態とを比較して状態が異なるときに該情報を前記ユーザ端末機器に報知情報として送信を行うことを特徴とする機器監視制御システム特徴とする機器監視制御システムとしている。
【０００８】
また、請求項２記載の発明は、請求項１において、前記報知情報は、前記機器状態条件へ前記設置機器を制御実行するか否かの確認をユーザに求めるものであり、制御実行可の通知が前記ユーザ端末機器から発信されたときに前記設置機器に制御実行処理を行うことを特徴とする機器監視制御システムとしている。
【０００９】
また、請求項３記載の発明は、請求項２において、前記報知情報送信から制御実行処理の間までに前記監視部で取得した設置機器の状態が変化して前記機器状態条件と一致したときには該設置機器の状態を前記ユーザ端末機器に再度送信することを特徴とする機器監視制御システムとしている。
【００１０】
また、請求項４記載の発明は、請求項１において、前記監視部で設置機器の状態変化が検知された場合も、前記制御部は、前記気象情報記憶部の気象予測情報が前記制御計画情報記憶部の気象条件に一致しているか否か判断処理して一致している場合に前記設置機器の機器状態条件と変化後の該設置機器の状態とを比較処理し、この比較が一致していない場合に前記報知情報を警報の発報とすることを特徴とする機器監視制御システムとしている。
【００１１】
また、請求項５記載の発明は、請求項１において、前記設置機器周辺の状況を撮影する撮像装置が前記ネットワーク接続されており、前記設置機器の機器状態条件と前記監視部で検知された該設置機器の状態とを比較して状態が異なるときに前記撮像装置の撮影データも前記ユーザ端末機器に送信することを特徴とする機器監視制御システムとしている。
【発明の効果】
【００１２】
本発明によれば、気象情報を利用するものの、気象予測が外れた場合に誤った機器制御を防止するとともに、機器が設置されている現場の状況を考慮し、設置機器の制御を行うことができる。
【発明を実施するための最良の形態】
【００１３】
以下、図面を参照して本発明の一実施形態を説明する。図１は本発明による機器監視制御システムの概略構成を、図２は図１の宅内機器１の構成を示す。
【００１４】
宅内システム１１とセンターサーバ９とはＬＡＮや専用線等の通信回線によりネットワーク接続されており、通信部３によりデータを双方向に送受信できるようになっている。一方、センターサーバ９と気象情報提供手段８及びユーザ端末機器１２とはインターネット７等の通信回線によりネットワーク接続されており、通信部６によりデータを送受信できるようになっている。
【００１５】
センターサーバ９は、演算処理部４、記憶部５、通信部３、通信部６等で構成されており、演算処理部４はメール作成部４１、監視部４２、気象情報取得部４３、制御部４４で構成されている。また、記憶部５内には気象情報ＤＢ（データベース）５１、制御計画情報ＤＢ（データベース）５２、宅内情報ＤＢ（データベース）５３、ユーザ情報ＤＢ（データベース）５４が含まれている。
【００１６】
宅内システム１１は、ユーザ端末機器２、宅内機器１、カメラ１０等で構成され、これらもネットワーク接続されている。宅外の映像取得が可能な撮像装置としてカメラ１０が、宅外に設置され、センターサーバ９内の制御部４４から録画画像取得要求を受けると録画処理を行い、録画画像を応答としてセンターサーバ９に返信する。
【００１７】
また、宅内機器１内の構成は、例えば、図２のようになっており、宅内制御部（親機）１５が宅内の各設置機器を制御するようになっており、コミュニケーション機器部１６、セキュリティ機器部１７、コントロール機器部１８、センサ機器１９等を制御している。また、宅内制御部１５は、外出モード、就寝モード、在宅モード等を設定できるようになっており、図１のネットワークに接続されている。
【００１８】
例えば、外出モードに設定されると、外出者に音声で「戸締りを確認してください」と知らせ、戸締りが完了すると、セキュリティ機器部１７等が動作して防犯機能が設定されるようになる。
【００１９】
コミュニケーション機器部１６には、ドアホン１６１、ドアホン対応電話機１６２、副親機１６３等が接続されており、来訪者や外部とコミュニケーションが行えるようになっている。セキュリティ機器部１７には火災機器１７１、非常連絡機器１７２、防犯機器１７３等が接続されており、火災発生時の警報や緊急連絡、侵入者に対する警報や緊急連絡が行えるようになっている。コントロール機器部１８には電気錠機器１８１、照明器具１８２、空調機器１８３、窓・天窓開閉機器１８４、シャッター開閉機器１８５等が接続されており、これらの各設置機器は状態の制御が外部からも行えるようになっている。
【００２０】
例えば、電気錠機器１８１であれば扉や窓などの錠の開閉状態を、照明器具１８２であれば照明光の明るさを、空調機器１８３であれば空調の強度を、窓・天窓開閉機器１８４であれば開閉状態を、シャッター開閉器であればシャッターの開閉状態を内部または外部から制御できる。なお、窓・天窓開閉機器１８４は、窓と天窓とを別々に開閉制御できるものである。
【００２１】
センサ機器１９は、宅内の状態を検出するために設置された各種センサから構成されており、例えば、照明器具１８２を制御するための光センサ、空調機器１８３を制御するための温度センサ、窓・天窓開閉やシャッター開閉を制御するための開閉センサ、その他火災センサ、ガス感知機等で構成される。
【００２２】
制御部４４は、センターサーバ９の各種制御、演算、処理等を行う部分であり、ＣＰＵやＲＡＭ等で構成されている。
【００２３】
気象情報提供手段８は、例えば外部の情報提供サーバ等からなり、気象情報提供サービスを行うものである。気象情報の提供方法は、定期的にセンターサーバ９の方から取得しに行く場合と、気象提供手段８の方から送信される場合とがあり、更新の頻度、気象予測情報の時間間隔、地域メッシュの密度などもサービスによって異なる。気象提供手段８は少なくとも常に気象情報の更新を行い、最新の状態を保持しているものであれば、どのような手段であっても良い。
【００２４】
ユーザ端末機器２、１２はスピーカ等の音鳴動機能や、あるいは液晶画面等のグラフィック表示画面等で、宅内又は宅外にいるユーザに情報通知を行うことができるものであり、演算処理部４の制御部４４からの音鳴動制御、画面表示制御の制御対象機器となるものである。
【００２５】
例えば、携帯電話等の携帯端末やパソコンなどの機器や、また、警報装置等の機器であっても良い。ユーザ端末機器２、１２がセンターサーバ９とネットワーク接続されていれば、センターサーバ９からの電子メールや音響、音声データ等を受信したり、Webブラウザ等を用いて宅内機器制御要求をセンターサーバ９に対して送ることができる。
【００２６】
通信部３は、宅内機器１内の設置機器の状態変化通知を受け取ると、演算処理部４の監視部４４に通知する。また、監視部４４からの宅内機器制御要求または宅内機器状態取得要求を受け取ると、宅内機器１内の設置機器に対して制御要求または状態取得要求を送る。
【００２７】
通信部６は、演算処理部４から気象情報要求信号を受け取ると、気象情報提供手段８に気象情報を取得しに行く。また、ユーザ端末機機器２、１２からの制御要求を受け取ると、演算処理部４に通知する。
【００２８】
演算処理部４内のメール作成部４１は、記憶部５のユーザ情報ＤＢ５４からユーザのメールアドレスを取得し、必要な情報をメールに記載して、ユーザ端末機器２、１２にメール送信する。気象情報取得部４３は、定期的に通信部６に対して気象情報要求信号を送る。これにより取得した情報は気象情報ＤＢ５１内に気象情報として保存する。
【００２９】
記憶部５内の各データベースは、演算処理部４からの更新要求または取得要求に応じて、該当の情報を更新または提示する。宅内機器１内の制御対象設置機器は、採光窓やシャッターなどの開閉状態、空調設備の動作、空気清浄機の動作等の被監視制御機器を対象としている。
【００３０】
気象情報ＤＢ５１は、例えば、図３に示すように現在時刻を含む気象予報情報から、ある一定時間後までの気象予報情報を保持している。図３は１日を３つの時間区分に分けた予報情報を２日分保持する場合の例である。また、気象情報の種類も降水確率のほか、天気、湿度、花粉指数など様々な種類のデータを保持することができる。これらのデータの種類は気象情報提供手段８のサービス内容によって変わる。気象情報は演算処理部４の気象情報取得部４３によって更新される。
【００３１】
ユーザ情報ＤＢ５４は、例えば、図４に示すようにメール通知先のメールアドレスが登録されている。複数人のメールアドレスを登録できるようになっている。図４の例では、家族３人のアドレスが、表示名称とともに登録されている。
【００３２】
制御計画情報ＤＢ５２には、制御計画情報が保存されており、図５に示すように気象条件と機器状態条件とが対応づけられて（セットになって）記憶されている。気象条件は、対象の気象情報、閾値、予報範囲の３項目である。機器状態条件は、対象機器とその状態の２項目で表現される。一つの気象条件に対し、複数の機器状態条件をセットにできる。図５では、気象条件が降水確率の場合、セットになっている機器は窓、天窓、シャッターの３つである。また、各対象機器にフラグを記録できるようにして、報知を行ったかどうかを記憶させることができる。１のフラグが記録されている場合には、ユーザ端末機器２、１２に対してメール送信等の報知済を示す。宅内情報ＤＢ５３は、図６に示すように宅内機器１の各設置機器（対象機器）とこの各設置機器（対象機器）に対応するアドレスが記録されている。これにより、宅内の制御対象となる設置機器のアドレスがわかる。
【００３３】
図７に機器監視制御システムの動作フローを示す。以下機器監視制御システムの動作を説明する。気象情報の更新は定期的に行い、更新時刻はあらかじめ定められている。まず、Ｓ１で気象情報取得部４３が気象情報の取得時刻になったかどうかを確認し、取得時刻の場合は、気象情報更新処理（Ｓ２）を行う。
【００３４】
このＳ２の気象情報更新処理の流れを図８に示す。上記Ｓ１で気象情報を取得することになった場合、図８のＳ２１移る。気象情報取得部４３は気象情報取得要求を通信部６に対して送り、気象情報提供手段８からの応答を受信する。また、受信したデータにより気象情報ＤＢ５１の気象情報を更新する。
【００３５】
Ｓ２２では、気象情報取得部４３は得られた気象情報に基づき、制御計画情報ＤＢ５２の気象条件との比較を行う。前述したように制御計画情報ＤＢ５２には、制御計画として気象条件と機器状態条件とが対応づけられて記憶されているが、図３の記載の中で、例えば、気象条件の降水確率を基準とすると、予報範囲３時間以内の気象情報に対して、降水確率が閾値７０％を超える値となった場合には、Ｓ２３に進み、閾値７０％を超えていない場合は、Ｓ２３〜Ｓ２５までの処理を行わずに、Ｓ３に移る。
【００３６】
例えば、気象情報ＤＢ５１の気象情報が更新された時刻が１１月１９日の６時であって、そのときの気象予測情報が図３のようになっているとすれば、予報範囲３時間以内の降水確率３０％なので、Ｓ３に移る。しかし、更新時刻が１１月１９日の１８時であって、図３の気象予測情報であるとすれば、予報範囲３時間以内の降水確率８０％なので、次のステップＳ２３の処理を行う。
【００３７】
Ｓ２３では、監視部４２がＳ２２で参照した図５の制御計画のうち、機器状態条件を参照する。気象情報の降水確率に該当する対象機器、窓、天窓、シャッターの３つについて、現在の状態を確認するため、通信部３に対して宅内機器状態取得要求を送り、応答を受信する。
【００３８】
Ｓ２４では、監視部４２が、Ｓ２３で対象機器となった宅内機器１のうち、窓、天窓、シャッターについて、制御計画の機器状態条件の各状態値と、監視部４２で検知した現在状態が一致しているかどうかを確認する。
【００３９】
例えば、窓、天窓、シャッターのうち、現在状態として「窓」が開いており、天窓、シャッターが閉まっていたとすると、図５の機器状態条件の状態値「開」と現在状態が一致しているのは、「窓」だけなので、「窓」の閉制御が必要との連絡と判断を求める旨のメールを作成、送信する（Ｓ２５）。
【００４０】
メールの作成、送信については、メール作成部４１が、ユーザ情報ＤＢ５４の情報を確認し、ユーザのメールアドレスを取得し、取得したメールアドレスに対して例えば、「窓が開いています。制御しますか（閉めますか）？」等のメッセージを送信する。次に、制御部４４は「窓」についてのユーザの制御要求がユーザ端末機器２、１２から到着したかどうかをチェックし（Ｓ３）、制御要求を受け取った場合は、制御部４４は制御要求の内容を確認して、通信部３を介して制御要求を宅内機器１に送信し、窓・天窓開閉機器１８４を動作させて「窓」を閉める（Ｓ４）。
【００４１】
以上の処理において、気象情報取得時刻、すなわち気象情報更新時刻とＳ２２及びＳ２４の比較処理、Ｓ２５のユーザへの報知処理の関係を時系列に示したのが図１０である。図１０で比較と記載されている時刻は、気象情報が更新された時刻でもあり、上記Ｓ２２、Ｓ２３の比較処理を行う時刻でもある。また、○で表されている時刻は、Ｓ２２又はＳ２３の比較処理の内いずれかの条件が満たされていないことを示す。すなわち、気象情報が閾値を超えていない場合、又は、上記例で言えば「窓」が開いていない場合である。一方、×で表されている時刻は、Ｓ２２又はＳ２３の比較処理のいずれの条件も満たしていることを示す。すなわち、気象情報が閾値を超えていて、かつ、上記例で言えば「窓」が開いている場合である。この場合には、図１０に示すように報知処理がなされる。
【００４２】
上記のように、センターサーバ９が定期的に気象情報を取得更新し、そのたびに制御計画の気象条件と機器状態条件を比較して、窓が開いていればユーザにメール等で報知することができるので、ユーザは気象情報という不確定な情報でありながらも、実際の天候の状況や窓の状態を確認してから窓の開閉制御の可否を判断することができる。例えば、窓にものが挟まっていたり、予報は雨であるがまだ晴れているなどの場合には、窓を閉めないようにして適正な制御を行える。
【００４３】
そして、通常はこの後すぐに、再度宅内機器１からの状態が変化することはないので（Ｓ５  NO）、Ｓ８へ進むが、ユーザからの制御要求がない場合（Ｓ３  NO）は、再度監視部４２で宅内機器１の各機器から状態の変化が受信されたかどうかを判断し（Ｓ５）、この機器の状態変化受信が、Ｓ２５で既にメール通知した該当の宅内機器１内の設置機器の状態変化であるかどうかを判断する（Ｓ６）。このステップＳ６の判断を行うために、制御計画情報ＤＢ５２のフラグを確認し（図５のフラグを確認）、フラグが１となっていれば、該当の対象機器となりＳ７に進む。
【００４４】
例えば、上記の例で言えば、宅内機器１の「窓」についての状態が開状態から閉状態に変化したときに、監視部４２でその状態変化を受信するが、図５の対象機器の「窓」を確認するとフラグが１となっているので、Ｓ２５でメール送信した該当の対象機器であることが識別されＳ７に進む。Ｓ７では、メール作成部４１が、ユーザ情報ＤＢ５４を確認し、ユーザのメールアドレスを取得し、さらに取得したメールアドレスに対して「先ほど通知した窓は閉められました」等の通知を送信する。すなわち、Ｓ２５で既にメール通知した該当の宅内機器１内の設置機器の状態がさらに変化して、ユーザが設置機器を制御しなくても良い状態になったことを通知する。
【００４５】
Ｓ８では、システム全体の処理中止の指令があったかどうか判定し、当該指令を受信していれば、この動作処理は終了する。通常は、一度機器監視制御システムが実行されると、強制的に電源を停止するなどの処置をとらない限り、連続稼動するものであり、上記動作は、割り込み処理待ちのループ処理となる。
【００４６】
報知を複数人に送った場合や、または、複数人のうち外出する者と家の中で留守番する者とが分かれていた場合等には、ユーザの家族など他人が勝手に窓を閉めてしまう場合がある。このときには再度メール等で「窓が閉められました」という報知を行う。これにより、ユーザは先に受信した「窓が開いています。制御しますか（閉めますか）？」というメールを見るのが数分後になった等、報知後すぐに制御ができなかった場合に、既に窓が閉められたことを知ることができ、無駄な確認制御作業を回避することができる。
【００４７】
ところで、図１ではセンターサーバ９と宅内システム１１とに分けているが、一体となっていてもよい。ユーザ端末機器２、１２は携帯電話やPCのようなWebブラウザ機能を持ったものや、宅内のスピーカや画面を持つもの等であれば良いので、上記報知手段はメールに限らず、Web上にメッセージを表示するようにしても良く、内容がユーザに伝われば良い。
【００４８】
また、降水確率の代わりに花粉指数でも同様の効果が得られる。また、天気予報を用いた場合、予報データが「晴れ」「雨」「曇り」などの離散データとなるが、この場合は閾値を制御計画に登録するのではなく「雨」などの値をそのまま登録して、一致した場合に報知処理を行うことにする。花粉指数の場合に、図５に示す対象機器として窓、天窓だけでなく、空気清浄機等を加えることもできる。
【００４９】
図９に機器監視制御システムの他の動作フローを示す。前述したように、宅内制御部（親機）１５で外出モード、就寝モード、在宅モード等を設定できるようになっている。そこで、外出モード設定時や宅内機器状態が変化したタイミングにおいても、気象情報と宅内機器状態の現在状態と制御計画の条件を比較処理し、条件合致したときに、ユーザ端末機器に警報を発生させるものである。
【００５０】
図７の動作フローと比較すると、Ｓ１０および気象情報更新処理(Ｓ２)は同様であるので説明を省略する。図７のＳ３の処理は特に必要としないので省略されている。また、図９のＳ１１でYesと判断された場合の以後の処理が変更となり、Ｓ１５〜Ｓ１８がメインフローに追加される。なお、ユーザ端末機器２、１２は、前述した機能に加えて、上記、外出モード、就寝モード、在宅モード等のモード変更入力も行えるようになっている。モード変更した場合は、モード変更通知をセンターサーバ９に対して送る。
【００５１】
Ｓ１１では図７の実施例と同様、演算処理部４は、通信部３から宅内機器１内の設置機器からの状態変化通知を受信したかどうかの確認を行い、受信した場合はＳ１２に進む。Ｓ１２では、演算処理部１３の気象情報取得部が、Ｓ１０で更新された気象予測情報に基づいて、記制御計画情報ＤＢ５２の制御計画の気象条件との比較を行う。制御計画には気象条件と機器状態条件の二つがあり、そのうちの気象条件にある対象の気象条件として降水確率を例にとると、予報範囲３時間内の気象情報に対して、閾値７０％を超える値かどうかを比較し判断する。
【００５２】
また、監視部４２が、Ｓ１１で受信した宅内機器状態変化通知の内容と、制御計画情報ＤＢ５２内の制御計画の機器状態条件の内容と一致するかどうかの確認を行う。監視部４２は制御計画情報ＤＢ５２から制御計画の内容を読み出し、機器状態条件と変化があった宅内機器１内の設置機器の状態とを比較する。
【００５３】
図５に示すように降水確率を対象の気象情報として選択している場合の機器状態条件は、対象機器が窓、天窓、シャッターの３つであり、状態は全て開である。よって、受信した宅内機器状態変化通知の内容が「窓、天窓、シャッターのいずれかが開いた」かどうかの確認を行うこととなる。仮に、宅内にいるユーザが「窓」を開ける動作を行い、監視部４２で「窓」が閉から開へと状態変化したことを検知したとすると、上記機器状態条件の状態値と一致するので、制御部４４がユーザ端末機器２に警告表示あるいは警告音鳴動の制御を行う（Ｓ１４）。監視部４２は通信部３を介して宅内システム１１より受信したデータが、外出モードへのモード変更通知かどうかの判断を行う（Ｓ１５）。Ｓ１６では、前述したＳ１２と同様の処理を行う。
【００５４】
Ｓ１７では、監視部４４が、制御計画情報ＤＢ５２内の制御計画の機器状態条件の内容と現在の機器状態が一致するかどうかの確認を行う。監視部４４は制御計画情報ＤＢ５２から制御計画の内容を確認し、機器状態条件を確認するため、通信部３に対して宅内機器状態取得要求を送り、応答を受け取る。仮に降水確率を対象の気象情報として選択している場合の機器状態条件は、対象機器が窓、天窓、シャッターの３つであり、状態は全て開である。よって、受信下応答の内容が「窓、天窓、シャッターのいずれかが開いている」かどうかの確認を行うこととなる。Ｓ１８では前述したＳ１４と同様の処理を行う。
【００５５】
図１１に、気象情報が更新された時刻に加えて、上述した外出モード設定時や宅内機器状態が変化したタイミングと、気象情報と宅内機器状態の現在状態と制御計画の条件を比較処理する時刻との関係を示す。図１１で比較と記載されている時刻は、図１０の比較処理と同様であるので説明を省略する。図１０のような定期的に行われる比較処理に加えて外出時（外出モード設定時）にも比較処理が行われる様子を示す。また、外出モード設定と記載されている時刻の代わりに宅内機器状態が変化した時刻と置き換えることができる。このように、定期的な比較処理以外にも、必要なタイミングで、上記Ｓ１２、Ｓ１３、Ｓ１６、Ｓ１７の各比較処理を行い、外出モード設定時にはＳ１６、Ｓ１７のいずれの条件も満足している場合に、宅内機器状態が変化したときにはＳ１２、Ｓ１３のいずれの条件も満足している場合に図のように×となり報知処理が行われる。
【００５６】
上記のような機器監視制御システムでは、制御計画の内容が、気象条件については降水確率が閾値以上であることであり、かつ機器状態条件については窓が開いたこととすると、窓が開くたびに気象条件と機器状態条件の確認を行って、条件に合致していればユーザに警告を行う。これにより、ユーザは気象条件を知らずに窓を開けたときに、警告を確認することで、雨が降りそう、などの情報を知ることができる。
【００５７】
また、外出モード設定時にも同様な警告を行うことができる。窓を開けた部屋と、警告を鳴動表示させている部屋が同じとは限らず、警告の確認漏れがあった場合にも、外出前に再度警告することで、報知音等をユーザに確実に聞かせることができ、状況確認を確実にすることができる。
【００５８】
次に、カメラ１０で撮影した画像を利用する動作を説明する。図７と同様の動作フローとなるが、気象情報更新処理のうちＳ２５の処理が変更される。既述したようにＳ２５において、メール作成部４１は、ユーザ情報ＤＢ５４を確認し、メールアドレスを取得し、「窓が開いています。制御しますか？」の旨をメール本文に記載する。これに加えて、制御部４４がカメラ１０に対して録画画像取得要求を送り、録画画像を取得する。メール作成部４１は制御部４４が取得した録画画像をメールに添付してメールを作成完了し送信する。これにより、宅外のユーザ端末機器１２に対してカメラ映像を表示することができる。
【００５９】
現在状態と制御計画の気象条件と機器状態条件を比較を行い、比較結果が条件に合致するときにカメラ映像まで録画し、例えば携帯電話等の携帯端末にメールで画像を送ることができる。これにより、ユーザは遠方にいても即座に気象状況を確認することができる。
【００６０】
上記実施例では、ユーザ端末機器１２への録画画像表示を行ったが、宅内システム１１にあるユーザ端末機器２に対しても同様の処理を行ってもよい。この場合は、図９の動作フローのステップＳ１４、Ｓ１８の処理において、ユーザ端末機器２へのカメラ画像表示を行うことになる。
【図面の簡単な説明】
【００６１】
【図１】本発明の機器監視制御システムの構成を示す図である。
【図２】図１の宅内機器の構成例を示す図である。
【図３】気象情報ＤＢのデータ構成例を示す図である。
【図４】ユーザ情報ＤＢのデータ構成例を示す図である。
【図５】制御計画情報ＤＢのデータ構成例を示す図である。
【図６】宅内情報ＤＢのデータ構成例を示す図である。
【図７】機器監視制御システムの動作を示すフロー図である。
【図８】気象情報更新処理動作を示すフロー図である。
【図９】機器監視制御システムの他の動作を示すフロー図である。
【図１０】設置機器の状態と制御計画に記録された条件とを比較するタイミングを示す図である。
【図１１】図１０に定期的なタイミング以外の比較タイミングを加えた図である。
【符号の説明】
【００６２】
１    宅内機器照射窓
２    ユーザ端末機器
３    通信部
４    演算処理部
５    記憶部
６    通信部
７    インターネット
８    気象情報提供手段
９    センターサーバ
１０  カメラ
１１  宅内システム
１２  ユーザ端末機器
４１  メール作成部
４２  監視部
４３  気象情報取得部
４４  制御部
５１  気象情報ＤＢ
５２  制御計画情報ＤＢ
５３  宅内情報ＤＢ
５４  ユーザ情報ＤＢ
【図１】
2006235886.tif 000003
【図２】
2006235886.tif 000004
【図３】
2006235886.tif 000005
【図４】
2006235886.tif 000006
【図５】
2006235886.tif 000007
【図６】
2006235886.tif 000008
【図７】
2006235886.tif 000009
【図８】
2006235886.tif 000010
【図９】
2006235886.tif 000011
【図１０】
2006235886.tif 000012
【図１１】
2006235886.tif 000013